(57)【要約】  切断方向Ｃを持つ毛切断装置２のための櫛１００が提供される。櫛は、複数の第１の櫛歯１１２を有する第１の櫛部１１０を有し、これらの櫛歯は、毛を切断するために毛切断装置２に向かってガイドするように配置されている。櫛はまた、第１の櫛歯１１２と整列した複数の第２の櫛歯１２６を有する第２の櫛部１２０を有する。櫛は更に、第１の櫛歯と整列した複数の接続櫛歯１３６を有する櫛接続部１３０を有する。第１及び第２の櫛歯１１２、１２６は、接続櫛歯１３６によって互いに接続されている。第１の櫛歯１１２及び第２の櫛歯１２６は、少なくとも部分的にプラスチック材料から形成され、接続櫛歯１３６は、少なくとも部分的に金属から形成される。櫛の使用中、切断方向Ｃに見たときに、第１の櫛歯１１２は接続櫛歯１３６に先行し、第２の櫛歯１２６は接続櫛歯１３６に後続する。
2021507789.tif 000002
【特許請求の範囲】
【請求項１】
切断方向を持つ毛切断装置のための櫛であって、前記櫛は、
使用の間に、切断のために前記毛切断装置に向けて毛をガイドするよう構成された複数の第１の櫛歯を有する、第１の櫛部と、
前記第１の櫛歯と整列した複数の第２の櫛歯を有する、第２の櫛部と、
前記第１の櫛歯に整列した複数の接続櫛歯を有する、櫛接続部と、
を有し、
前記第１の櫛歯と前記第２の櫛歯とは、前記接続櫛歯により接続され、
前記第１の櫛歯及び前記第２の櫛歯は、少なくとも部分的に、プラスチック材料から形成され、
前記接続櫛歯は、少なくとも部分的に、金属から形成され、
前記櫛の使用の間、前記切断方向で見たときに、前記第１の櫛歯は、前記接続櫛歯に先行し、前記第２の櫛歯は、前記接続櫛歯に後続する、
櫛。
【請求項２】
前記第２の櫛部は更に、前記櫛を前記毛切断装置に結合するための結合部を有する、請求項１に記載の櫛。
【請求項３】
前記接続櫛歯は、少なくとも部分的に、プラスチック材料により被覆された、請求項１又は２に記載の櫛。
【請求項４】
前記第１の及び／又は第２の櫛部は、前記接続櫛歯の少なくとも一部において成形された、請求項１又は２に記載の櫛。
【請求項５】
前記櫛は、前記櫛が前記毛切断装置に結合されたときに、前記櫛接続部の金属部分が前記毛切断装置の切断刃と整列するよう構成された、請求項１乃至４のいずれか一項に記載の櫛。
【請求項６】
前記第１の櫛部は、接続バーを有し、前記接続バーは、前記第１の櫛歯の１つ以上の遠位端に結合された、請求項１乃至５のいずれか一項に記載の櫛。
【請求項７】
前記第１の櫛歯の１つ以上の他のものの遠位端と前記接続バーとの間に毛間隙が備えられ、前記毛間隙において切断された毛が前記第１の櫛歯上を通ることを可能とされた、請求項８に記載の櫛。
【請求項８】
前記接続バーは、前記櫛のそれぞれの横面において前記第１の櫛歯の１つに結合された、請求項６又は７に記載の櫛。
【請求項９】
使用時における前記切断方向に垂直な方向における前記接続櫛歯の厚さは、３ｍｍよりも小さい、請求項１乃至８のいずれか一項に記載の櫛。
【請求項１０】
前記櫛接続部の少なくとも一部は、オーバーモールドされたプラスチックがない、請求項１乃至９のいずれか一項に記載の櫛。
【請求項１１】
請求項１乃至１０のいずれか一項に記載の櫛及び前記毛切断装置を有する、毛切断システム。
【請求項１２】
前記毛切断装置の切断刃は、前記毛切断装置が前記櫛に結合されたときに、前記櫛の前記櫛接続部の金属部分と整列する、請求項１２に記載の毛切断システム。
【請求項１３】
前記毛切断装置の切断刃と前記櫛接続部との間の距離は、前記毛切断システムにより切断される毛の長さを調節するために調節可能である、請求項１１又は１２記載の毛切断システム。
【発明の詳細な説明】
【技術分野】
【０００１】
本発明は、毛切断装置のための櫛に関する。
【背景技術】
【０００２】
毛切断システムは、例えば、毛髪及び／又は顔の毛を切断するためのものであり、多くの場合、毛を切断するための１つ以上の切断刃と、毛を切断するよう切断装置の刃に向けて毛を導くための櫛と、を含む毛切断装置を有する。櫛は、毛切断装置に連結可能であってもよいし、毛切断装置と一体化していても良い。
【発明の概要】
【発明が解決しようとする課題】
【０００３】
櫛は、毛が切断されている間、ユーザの皮膚に当たるための櫛の表面を含む。毛切断装置の切断刃は、櫛の表面の一部、例えば切断方向に整列しており、毛切断装置によって毛が切断される長さは、切断方向に垂直な方向の切断刃と櫛の表面との間の距離を調節することによって設定することができる。
【０００４】
切断刃と櫛面との距離を調節するために、櫛は交換可能なものであっても良い。例えば、切断刃の位置から第１の距離で櫛面を提供する第１の櫛を、切断刃の位置からより大きな距離で櫛面を提供する第２の櫛に交換しても良い。 
【０００５】
代替としては、毛切断装置又は櫛は、例えば、櫛を変更することなく、切断刃と櫛表面との間のオフセットを調節するための調節機構を含んでいても良い。
【課題を解決するための手段】
【０００６】
本発明は、特許請求の範囲によって定義される。
【０００７】
本開示の一態様によれば、毛切断装置と、毛切断装置に結合可能な櫛と、を有する毛切断システムが提供され、ここで該櫛は、毛を毛切断装置に向かってガイドするように配置された複数の櫛歯を有し、該櫛歯は、少なくとも部分的にプラスチック材料から形成され、毛切断装置の切断刃に整列した櫛の部分、例えば毛切断装置の切断方向に整列した部分は、金属から形成されている。
【０００８】
本開示の別の態様によれば、切断方向を持つ毛切断装置のための櫛であって、前記櫛は、使用の間に、切断のために前記毛切断装置に向けて毛をガイドするよう構成された複数の第１の櫛歯を有する、第１の櫛部と、前記第１の櫛歯と整列した複数の第２の櫛歯を有する、第２の櫛部と、前記第１の櫛歯に整列した複数の接続櫛歯を有する、櫛接続部と、を有し、前記第１の櫛歯と前記第２の櫛歯とは、前記接続櫛歯により接続され、前記第１の櫛歯及び前記第２の櫛歯は、少なくとも部分的に、プラスチック材料から形成され、前記接続櫛歯は、少なくとも部分的に、金属から形成された、櫛が提供される。前記櫛の使用の間、前記切断方向で見たときに、前記第１の櫛歯は、前記接続櫛歯に先行し、前記第２の櫛歯は、前記接続櫛歯に後続する。
【０００９】
第２の櫛歯は、皮膚接触面を規定する。第２の櫛歯は、櫛が使用されているときには、切断刃によって形成される切断位置の後方に位置している。電気バリカンの分野で一般的に知られているように、使用中に互いに往復運動する２つの歯付き刃は、刃の歯の間で毛を切断するために協力する。切断位置は、電気バリカンの使用中に、協働する刃によって毛が切断される可能性のある領域である。
【００１０】
本開示の別の態様によれば、毛切断装置のための櫛が提供され、ここで該櫛は、複数の第１の櫛歯を含む第１の櫛部を有し、第１の櫛歯は、毛を切断のために毛切断装置に向かってガイドするように配置され、第２の櫛部は、櫛を毛切断装置に結合するための結合部分を有しても良く、第１の櫛部及び第２の櫛部は、少なくとも部分的にプラスチック材料から形成され、少なくとも部分的に金属から形成された櫛結合部分によって互いに結合される。
【００１１】
第１の櫛歯は、毛切断装置の切断方向、例えば、毛切断装置が毛を切断するためにユーザによって移動される方向に整列していても良い。
【００１２】
第１の櫛歯は、例えば、毛切断装置の切断方向に垂直な方向に、櫛の横方向に間隔をあけて配置されていても良い。櫛歯は、プラスチック材料から形成されていても良い。
【００１３】
櫛接続部は、プラスチック材料で少なくとも部分的に覆われた、例えばオーバーモールドされた、１つ以上の金属要素から構成されていても良い。櫛接続部は、複数の金属要素を有しても良い。
【００１４】
第１及び／又は第２の櫛部は、櫛連結部の少なくとも一部に亘って成形されていても良い。換言すれば、第１及び／又は第２の櫛部は、第１及び／又は第２の櫛が櫛接続部の上に成形されるオーバーモールド工程によって形成されても良い。
【００１５】
櫛接続部は、第１の櫛歯と整列した複数の接続櫛歯を有しても良い。更に、又は代替的に、第２の櫛部は、第１の櫛歯と整列した複数の第２の櫛歯を有しても良い。第１の櫛歯と第２の櫛歯とは、連結櫛歯によって互いに連結されていても良い。換言すれば、第１の櫛歯の各々は、接続櫛歯によって対応する第２の櫛歯に接続されていても良い。
【００１６】
接続櫛歯は、櫛接続部の１つ以上の金属要素によって形成されても良い。金属要素は、接続櫛歯のそれぞれの１つを形成しても良い。換言すれば、金属要素の各々は、それぞれの接続櫛歯を形成しても良い。代替としては、金属要素の１つが複数の接続櫛歯を形成しても良く、例えば、１つの金属要素がそれぞれの接続櫛歯を形成しても良い。
【００１７】
接続櫛歯のうちの１つ以上は、金属を含まず、例えば、全体がプラスチック材料で形成されていても良い。例えば、側方の第１の櫛歯と第２の櫛歯を一緒に接続する接続櫛歯は、例えば金属を含まないプラスチック材料から形成されても良い。
【００１８】
櫛接続部は、毛切断装置の使用中にユーザの皮膚に対して保持されるべき櫛の表面、即ち皮膚接触面を規定しても良い。好適な実施例では、第２の櫛接続部は、毛切断装置の切断刃が切断方向に櫛表面と整列するように、毛切断装置に結合するように構成されていても良い。別の実施例では、第１の櫛部は、櫛を毛切断装置に結合するように構成されていても良い。櫛は、毛切断装置によって切断された毛の長さを調節することを可能にするために、櫛表面に対する毛切断装置の位置を調節するように構成されていても良い。
【００１９】
櫛は、櫛が毛切断装置に結合されたときに、例えば切断方向において、櫛接続部の金属部分が、毛切断装置の切断刃と、より具体的には切断位置と、整列するように構成されていても良い。
【００２０】
前記櫛部は、前記連結部材と前記櫛接続部との間の距離を調節するように構成された切断長調節器を有しても良い。代替としては、使用中に櫛が接続される毛切断装置は、電気バリカンの分野でよく知られているように、櫛調節ユニットを有していても良く、櫛調節ユニットは、切断長さが変化するように電気毛切断装置に対して櫛を移動させるように構成されている。
【００２１】
第１の櫛歯の少なくとも一部は、切断方向に垂直な成分を有する方向、例えば、櫛の皮膚接触面に垂直な成分を有する方向に、櫛接続部から離れて、例えば、第１の櫛歯の遠位端まで延在しても良い。
【００２２】
第１の櫛部は、接続バーを構成しても良い。接続バーは、１つ以上の第１の櫛歯の遠位端、例えば、櫛接続部から最も遠い第１の櫛歯の端部に結合されていても良い。接続バーは、例えば、第１の櫛歯の遠位端の間に連続的に延在しても良い。接続バーは、２つ以上の第１の櫛歯の遠位端を互いに接続しても良い。
【００２３】
第１の櫛歯の１つ又は複数の他の櫛歯の遠位端と接続バーとの間には、毛間隙が設けられても良く、カットされた毛が毛間隙で櫛歯の上を通過することができるようになっている。換言すれば、１つ以上の櫛歯は、接続バーに結合されていなくても良い。接続バーに結合されていない１つ以上の櫛歯は、接続バーに結合されている櫛歯の間に設けられていても良い。
【００２４】
毛間隙は、切断方向に垂直な成分を有する方向、例えば、櫛の表面に垂直な成分を有する方向に延在しても良い。毛間隙は、第１の櫛歯が延在する方向、例えば第１の櫛歯の遠位端部で延在しても良い。
【００２５】
接続バーは、櫛の各側方の櫛歯の１つに結合されていても良い。櫛の側方側の櫛歯の間に配置された櫛歯は、接続バーに結合されていなくても良い。接続バーに結合されていない櫛歯の遠位端と接続バーとの間には、毛間隙が設けられていても良い。
【００２６】
櫛連結部の厚さは、３ｍｍ以下、例えば約１ｍｍ以下、例えば約０．７ｍｍ以下であっても良い。特に、櫛が毛切断装置に結合されているときに、毛切断装置の切断刃内に整列された櫛接続部の部分の厚さは、上記の厚さを持っても良い。
【００２７】
連結部の少なくとも一部は、オーバーモールドされたプラスチックがなくても良い。
【００２８】
毛切断システムは、上述したいずれかの櫛と、毛切断装置とを有しても良い。
【００２９】
毛切断装置の切断刃、より具体的には、毛切断装置の切断刃によって形成された毛切断位置は、毛切断装置が櫛に結合されているときに、例えば毛切断装置の切断方向において、櫛の櫛接続部と整列していても良い。毛切断装置の切断刃は、金属から形成された櫛の櫛接続部の部分と整列していても良い。
【００３０】
毛切断装置の切断刃と櫛接続部との間の距離は、毛切断装置によって切断された後の毛の長さを調節するために、例えば切断方向に直交する方向に調節可能であっても良い。
例えば、毛切断装置は、毛切断システムによって切断された後の毛の長さが３ｍｍ未満、例えば約１ｍｍ未満となるように、櫛接続部に対して相対的に位置調節可能であっても良い。換言すれば、毛切断装置は、毛切断装置によって定義される切断面が、毛を切断する際にユーザの皮膚に対して配置される櫛接続部の櫛表面から３ｍｍ未満であるように、櫛に結合されても良い。毛切断装置の遠位端と切断刃との間の距離は、約０．３ｍｍであっても良い。
【００３１】
本明細書における不必要な労力の重複と文章の繰り返しを避けるために、特定の特徴は、本発明の1つ又は幾つかの態様又は実施例のみに関連して記載されている。しかしながら、技術的に可能な場合には、本発明の任意の態様又は実施例に関連して記載された特徴は、本発明の任意の他の態様又は実施例と一緒に使用されてもよいことが理解されるであろう。
【００３２】
本発明をよりよく理解するために、また、本発明がどのように効果的に実施され得るかをより明確に示すために、添付の図面が例として参照される。
【図面の簡単な説明】
【００３３】
【図１】本発明による毛切断システムの部分的な断面図である。
【図２】毛切断システムの部分断面詳細図である。
【図３】切断システムのための櫛の斜視底面図である。
【図４】以前に提案された毛切断装置のための櫛の斜視図である。
【図５】本開示による毛切断システムの斜視図である。
【発明を実施するための形態】
【００３４】
図１及び図２を参照すると、本開示の構成による毛切断システム１は、毛切断装置２及び櫛１００を有する。
【００３５】
毛切断装置２は、毛切断システムが使用されているときにユーザが保持するように構成されたグリップ部分６を含む本体４を有する。毛切断装置２は、毛を切断するために毛切断装置の本体４から突出する１個以上の切断刃１０を有する。
【００３６】
毛切断装置２は更に、電動モータ８を有する。電動モータ８は、毛を切断するために、例えば、往復運動、振動運動、又は回転運動を行うように切断刃１０を駆動する。
【００３７】
櫛１００は、第１の櫛部１１０と、第２の櫛部１２０と、第１及び第２の櫛部１１０、１２０を連結する櫛連結部１３０と、を有する。櫛接続部１３０は、櫛表面１３２を規定する。幾つかの実施例では、櫛表面は、接続櫛歯１３６の皮膚に面した側によって形成されても良い。毛切断システム２の使用において、櫛表面１３２は、ユーザの皮膚に当たり、毛切断システム２は、ユーザの毛を切断するために切断方向Ｃに移動させられる。櫛表面１３２は、櫛の唯一の皮膚接触面であっても良いことに留意されたい。代替としては、皮膚接触面は、接続櫛歯１３６と第２の櫛歯１２６及び／又は第１の櫛歯１１２の少なくとも一部とによって形成されても良い。より一般的には、皮膚接触面は、櫛接続部１３０によって、又は櫛接続部と第２の櫛部１２０及び／又は第１の櫛部１１０の少なくとも一部との組み合わせによって形成されても良い。
【００３８】
第１の櫛部１１０は、複数の第１の櫛歯１１２を有し、これらは、切断されるべき切断刃１０に向かって毛をガイドするように配置されている。第１の櫛歯１１２は、それぞれ切断方向Ｃに延在しており、毛切断装置２の横方向の幅にわたって毛を切断刃に向かってガイドするために、第１の櫛部１２０を横方向に、例えば切断方向Ｃに垂直な方向に間隔をあけて配置されている。
【００３９】
第１の櫛歯１１２は、切断刃１０によって切断されるための適切な位置及び向きに毛を配置するために、皮膚から毛を持ち上げるように配置されたそれぞれのランプ部分１１２ａを含んでいても良い。第１の櫛歯１１２は、毛が皮膚から持ち上げられた後、例えば、切断されている間、毛を支持し続けるために、それぞれの延長部分１１２ｂを更に有しても良い。延長部分は、切断方向Ｃと櫛表面１３２とに垂直な成分を有する方向に、櫛表面１３２から離れて延在している。
【００４０】
第１の櫛部１１０、例えば第１の櫛歯１１２の表面は、櫛表面１３２に対する前方の延長、例えば切断方向Ｃにおいて切断刃１０の前方を形成する、第１の櫛表面１２４を定義している。
【００４１】
第２の櫛部１２０は、櫛１００を毛切断装置２に結合するように構成された結合部分１２２を構成する。第２の櫛部１２０は、櫛表面１３２に対して後方への延長を形成する第２の櫛表面１２４を定義しており、この第２の櫛表面１２４は、例えば、切断方向Ｃにおいて切断刃１０の後方への延長を形成している。
【００４２】
第２の櫛部１２０は、複数の第２の櫛歯１２６を構成しても良い。第２の櫛歯１２６は、第１の櫛歯１１２と整列していても良く、例えば実質的に整列していても良く、これにより、第２の櫛歯１２６は、毛切断システム２が切断方向Ｃに移動する際に、第１の櫛歯１１２からの毛を切断刃１０を通過してガイドし続けるように配置されていても良い。
【００４３】
櫛接続部１３０は、複数の第３の櫛歯１３２を形成するために、切断方向Ｃに延在する複数の突起又はリブを含んでいても良い。第３の櫛歯１３２は、第３の櫛歯１３２が第１の櫛歯１２２から切断刃１０及び第２の櫛歯１２６に向かって毛をガイドするように配置されるように、第１及び第２の櫛歯と整列していても良く、例えば実質的に整列していても良い。幾つかの配置では、櫛接続部１３０は、複数の第３の櫛歯１３２を形成するために、毛切断システムの横方向、例えば切断方向Ｃに対して垂直な方向に不連続であっても良い。
【００４４】
図３を参照すると、櫛接続部１３０は、第１及び第２の櫛歯１１２、１２６を結合するように配置された１つ以上の櫛接続要素１３６を有しても良い。櫛接続部１３０は、単一部品であっても良く、例えば、単一の櫛接続要素１３６を有しても良い。代替としては、図３に描かれているように、櫛接続部１３０は、複数の櫛接続要素１３６から構成されても良い。櫛接続要素１３６は、第１及び第２の櫛歯１１２、１２６に対応していても良く、例えば、櫛接続要素１３６の各々は、それぞれ、対応する第１及び第２の櫛歯１１２、１２６を互いに結合しても良い。櫛接続部１３０は、櫛接続要素１３６から成っても良い。
【００４５】
図示されるように、櫛１００は、櫛１００の側方に設けられた側壁１４０を有する。側壁１４０は、第１の櫛部１１０、第２の櫛部１２０、及び櫛接続部１３０のそれぞれの側壁部分１１８、１２８、１３８によって形成される。図３に描かれているように、側壁部分１１８、１２８、１３８は、互いに一体的に形成されても良く、例えば、ともに成形されても良い。側壁１４０は、櫛１００の最も外側の櫛歯、例えば第１、第２及び第３の櫛歯１１２、１２６、１３２を形成しても良い。
【００４６】
図１及び図２に描かれているように、切断刃１０は、櫛接続部１３０に対して、例えば切断方向Ｃに整列しており、特に、切断刃に到達した毛が切断される領域は、切断方向Ｃにおいて櫛接続部１３０の櫛表面１３２と整列していても良い。毛切断システム２はこれにより、毛切断システム２によって切断された毛の長さが、櫛接続部１３０の櫛表面１３２と切断刃１０との間の距離にほぼ等しくなるように構成されている。
【００４７】
第２の櫛部１２０、例えば結合部分１２２、及び／又は毛切断装置２は、切断刃１０と櫛表面１３２との間の距離を調節するために、櫛接続部１３０に対する毛切断装置２の相対的な位置が調節可能であるように構成されていても良い。図示された配置では、毛切断装置２は、切断刃１０と櫛表面１３２との間の距離を変えるために、例えば、切断刃１０と櫛表面１３２との間の距離を変えるために、毛切断装置が結合されている結合部分１２２上の位置を変えることによって、結合部分１２２に対する毛切断装置２の位置を調節する、切断高さ調節機構９を有する。
【００４８】
更に、又は代替的に、毛切断装置２は、切断刃１０の位置が、切断刃１０と櫛表面１３２との間の距離を調節することができるように、例えば、毛切断装置２の本体４を櫛接続部１３０に対して相対的に移動させることなく、毛切断装置２の本体４に対して相対的に移動可能であるように構成されていても良い。
【００４９】
第１の櫛部１１０及び／又は第２の櫛部１２０は、少なくとも部分的にプラスチック材料から形成されていても良い。特に、第１の櫛歯１２２は、プラスチック材料から形成されても良い。更に、又は代替的に、第１の櫛歯面１１４を形成する第１の櫛歯部の一部及び／又は第２の櫛歯面１２４を形成する第２の櫛歯部の一部は、プラスチック材料から形成されても良い。
【００５０】
換言すれば、毛切断システム１の使用中にユーザの皮膚及び／又は毛に接触する第１及び第２の櫛部の部分は、プラスチック材料から形成されても良い。
【００５１】
第１及び第２の櫛部１１０、１２０を少なくとも部分的にプラスチック材料から形成することは、毛切断システム１を使用する際のユーザの快適性を向上させ得る。幾つかの実施例では、第１及び第２の櫛部１１０、１２０は、全体がプラスチック材料から形成されても良い。
【００５２】
櫛接続部１３０は、アルミニウム、鋼、ステンレス鋼、チタンなどの金属、又は異なる金属の組み合わせから少なくとも部分的に形成されても良い。特に、切断刃１０に整列した櫛接続部１３０の一部、例えば切断方向Ｃに整列した部分は、金属から形成されても良い。
【００５３】
櫛接続部１３０を少なくとも部分的に金属から形成することにより、櫛接続部１３０の構造強度は、プラスチック材料から形成された櫛接続部と比較して、櫛接続部の所定の厚さに対して増加し得る。従って、櫛接続部１３０は、櫛接続部の強度を低下させることなく、例えば、プラスチック材料から作られた櫛接続部を有する櫛と比較して、より薄くすることができる。
【００５４】
本毛切断システムで切断された毛の長さは、櫛面と切断刃１０との間の距離に依存する。接続部１３０を金属から形成することにより、切断刃１０を櫛表面に近い位置に配置することができるので、毛切断システムによって切断され得る毛の最小厚さを減少させることができる。
【００５５】
図２に描かれた配置では、櫛接続部１３０の厚さＴは３ｍｍ未満である。例えば、該厚さは１ｍｍ以下であっても良く、０．７ｍｍ以上であっても良い。毛切断装置２の切断刃１０と毛切断装置の遠位端との間の距離が約０．３ｍｍであれば、毛切断装置１は、約１ｍｍの長さに毛を切断することができる。
【００５６】
図３に戻ると、櫛接続部１３０は、金属から形成された１つ以上の櫛接続要素１３６を有しても良い。幾つかの実施例では、櫛接続部１３０は、櫛接続要素１３６から成っても良い。
【００５７】
第１の櫛部１１０及び／又は第２の櫛部１２０は、櫛接続部１３０に、例えば櫛接続要素１３６に、形成されても良い。例えば、第１及び／又は第２の櫛部１１０、１２０は、櫛接続部１３０にオーバーモールドされても良い。代替としては、櫛接続部１３０、例えば櫛接続要素１３６は、例えば第１及び／又は第２の櫛部が形成された後に、第１及び／又は第２の櫛部の中に挿入されても良い。この場合、櫛接続部１３０は、第１及び第２の櫛部１１０，１２０に固着されてもよいし、他の任意の適切な工程を用いて取り付けられても良い。
【００５８】
櫛表面１３２は、プラスチック材料で実質的に覆われていても良い。代替的に、櫛表面１３２の少なくとも一部は、例えば、櫛接続部１３０の厚さ、それ故切断された毛の長さを最小限にすることができるように、プラスチック材料がなくても良い。
【００５９】
図３に描かれている構成では、櫛接続部１３０の側壁部分１３８は、プラスチック材料から形成されている。しかしながら、他の構成では、側壁部分１３８は、少なくとも部分的に金属から形成されても良い。例えば、側壁部分は、例えば、第１及び／又は第２の櫛部１１０、１２０の側壁部分１１８、１２８を形成するように、プラスチックでオーバーモールドされた金属要素で構成されても良い。
【００６０】
図４を参照すると、先に提案された櫛４００は、第１の櫛部４１０と、第２の櫛部４２０と、櫛接続部４３０とを有する。第１の櫛部は複数の第１の櫛歯４１２を有し、第２の櫛部４２０は複数の第２の櫛歯４２２を有する。 
【００６１】
櫛接続部４３０は、先に提案された櫛の側壁４４０の一部を形成するための側壁部分４３６から成る。側壁４４０は、図３に描かれた櫛１００の側壁１４０と類似しており、第１及び第２の櫛部４１０、４２０の側壁部分４１６、４２６、４３６と櫛接続部４３０とによって形成されている。
【００６２】
先に提案された櫛４００の櫛接続部４３０は、櫛１００の櫛接続部１３０とは異なり、櫛接続部４３０が側壁部分４３２の間に櫛接続要素を有していない点で異なる。代わりに、櫛４００の中央領域において、第１及び第２の歯４１２、４２２の間の切断方向Ｃに間隙４３４が設けられている。間隙４３４は、櫛４００に結合された毛切断装置の切断刃と整列していても良い。
【００６３】
先に提案された櫛４００において、毛切断装置の切断刃と整列した間隙４３４を持つことは、毛切断装置が櫛接続部４３０と衝突することなく櫛の櫛表面４３２に配置され得るので、毛の切断長さを最小限にすることを可能にする。
【００６４】
図示されるように、先に提案された櫛４００の第１の櫛部４１０は、櫛接続バー４１４を有している。第１の櫛歯４１２は、櫛接続部４３０によって第２の櫛歯４２２に接続されていないので、第１の櫛歯４１２の各々は、第１の櫛歯の遠位端４１２ａにおいて櫛接続バー４１４に結合されている。櫛接続バー４１４は、それによって、第１の櫛歯４１２を櫛４００の残りの部分に対して相対的に支持する。
【００６５】
先に提案された櫛４００を構成する毛切断システムによって切断される毛の長さが特定の長さを超え、例えば、切断される毛が接続バー４１４の下を通過しないような場合、毛が接続バー４１４の下にある第１の櫛歯４１２の間にスタックして詰まる可能性がある。
【００６６】
図５を参照すると、本開示の構成による櫛１００は、櫛１００の横方向に延在する櫛接続バー１５０を有する。１つ以上の第１の櫛歯１１２は、例えば第１の櫛歯の遠位端１１２ｃにおいて櫛接続バーに結合されている。第１の櫛歯の遠位端部１１２ｃは、櫛接続部１３０から最も遠い端部、例えば、第１の櫛歯の延長部分１１２ｂの端部である。
【００６７】
図示された構成では、櫛接続バー１５０は、第１の櫛部１１０の側壁部分１１８によって形成された第１の櫛歯の遠位端に結合されている。しかしながら、他の構成では、第１の櫛歯１１２の別のものが櫛接続バー１５０に連結されても良い。
【００６８】
側壁部分１１８の間に配置された櫛歯は、櫛接続バー１５０に結合されていなくても良い。櫛接続バー１５０に連結されていない第１の櫛歯の遠位端部は、第１の櫛歯の遠位端部と櫛接続バー１５０との間に毛間隙１５２が提供されるように、櫛接続バー１５０から離れていても良い。
【００６９】
図示されているように、毛間隙１５２は、毛切断装置２の切断方向Ｃに垂直な成分を有する方向に延在しても良い。毛間隙は、第１の櫛歯が延在する方向、例えば、第１の櫛歯の延長部分１１２ｂがその遠位端１１２ｃで延在する方向に延在しても良い。
【００７０】
第１の櫛歯１１２と櫛接続バー１５０との間に毛間隙１５２を提供することは、第１の櫛歯１１２と櫛接続バー１５０との間に閉じ込められていないので、毛切断装置２によって切断された毛が櫛１００から抜け落ちることを可能にする。
【００７１】
本発明は、１つ以上の例示的な例を参照して例示的に説明されてきたが、本発明は、開示された例に限定されるものではなく、代替的な例が、添付の特許請求の範囲によって定義された本発明の範囲から逸脱することなく構成され得ることは、当業者であれば理解されるであろう。
【図１】
2021507789.tif 000003
【図２】
2021507789.tif 000004
【図３】
2021507789.tif 000005
【図４】
2021507789.tif 000006
【図５】
2021507789.tif 000007
【国際調査報告】
2021507789.tif 000008
2021507789.tif 000009
2021507789.tif 000010